【手続補正書】
【提出日】平成25年11月15日(2013.11.15)
【手続補正１】
【補正対象書類名】明細書
【補正対象項目名】００１９
【補正方法】変更
【補正の内容】
【００１９】
【図１】本発明の実施の形態に係る立体表示装置の一構成例を表すブロック図である。
【図２】第１の実施の形態に係る立体表示装置の一構成例を表す説明図である。
【図３】第１の実施の形態に係る表示駆動部および表示部の一構成例を表すブロックである。
【図４】第１の実施の形態に係る表示部の一構成例を表す説明図である。
【図５】第１の実施の形態に係る画素の一構成例を表す回路図である。
【図６】第１の実施の形態に係る液晶バリア部の一構成例を表す説明図である。
【図７】第１の実施の形態に係る開閉部のグループを説明するための説明図である。
【図８】第１の実施の形態に係る表示部および液晶バリア部の一動作例を表す模式図である。
【図９】第１の実施の形態に係る立体表示装置の一動作例を表すタイミング図である。
【図１０】第１の実施の形態に係る表示部および液晶バリア部の立体視表示の一動作例を表す模式図である。
【図１１】第１の実施の形態に係る視認映像を表す模式図である。
【図１２】第１の実施の形態に係るフレーム画像の画素情報配置を表す説明図である。
【図１３】第１の実施の形態に係る複合フレーム画像の画素情報配置を表す説明図である。
【図１４】第１の実施の形態に係る他のフレーム画像の画素情報配置を表す説明図である。
【図１５】第１の実施の形態に係る他の複合フレーム画像の画素情報配置を表す説明図である。
【図１６】第１の実施の形態に係る視認映像の画素情報配置を表す説明図である。
【図１７】第１の実施の形態の比較例に係る立体表示装置の一動作例を表すタイミング図である。
【図１８】第１の実施の形態の変形例に係る立体表示装置の一動作例を表すタイミング図である。
【図１９】第１の実施の形態の変形例に係る視認映像の画素情報配置を表す説明図で ある。
【図２０】第１の実施の形態の変形例に係る視認映像を表す模式図である。
【図２１】第２の実施の形態に係る開閉部のグループを説明するための説明図である。
【図２２】第２の実施の形態に係る表示部および液晶バリア部の一動作例を表す模式図である。
【図２３】第２の実施の形態に係る立体表示装置の一動作例を表すタイミング図である。
【図２４】第２の実施の形態に係る複合フレーム画像の画素情報配置を表す説明図である。
【図２５】第２の実施の形態に係る他の複合フレーム画像の画素情報配置を表す説明図である。
【図２６】第２の実施の形態に係る他の複合フレーム画像の画素情報配置を表す説明図である。
【図２７】第１の実施の形態の変形例に係る視認映像の画素情報配置を表す説明図である。
【図２８】変形例に係る立体表示装置の一動作例を表すタイミング図である。
【図２９】他の変形例に係る液晶バリアの一構成例を表す平面図である。
【図３０】他の変形例に係る立体表示装置の一構成例を表す説明図である。
【図３１】他の変形例に係る立体表示装置の一動作例を表す模式図である。
【図３２】他の変形例に係る立体表示装置の一動作例を表すタイミング図である。
【図３３】他の変形例に係るバックライトの一構成例を表す説明図である。
【図３４】他の変形例に係る表示部の区域を説明するための説明図である。
【図３５】他の変形例に係る立体表示装置の一動作例を表すタイミング図である。
【図３６】他の変形例に係る液晶バリア部の一構成例を表す説明図である。
【図３７】他の変形例に係る開閉部のグループを説明するための説明図である。
【図３８】他の変形例に係る立体表示装置の一動作例を表すタイミング図である。
【手続補正２】
【補正対象書類名】明細書
【補正対象項目名】００５２
【補正方法】変更
【補正の内容】
【００５２】
立体表示装置１には、映像供給周期Ｔ０ごとに、８視点分の視点映像（フレーム画像Ｐ１〜Ｐ８，Ｑ１〜Ｑ８）が映像信号Ｓdispとして供給される。立体表示装置１では、複合画像生成部４５が、互いに異なる２組のフレーム画像Ｐ１〜Ｐ８，Ｑ１〜Ｑ８に基づいて複合フレーム画像ＦＡ〜ＦＤを生成して、表示部２０が複合フレーム画像ＦＡ〜ＦＤを時分割的に表示する。そして、開閉部１２Ａ〜１２Ｄが、バリア開閉周期Ｔ１においてその表示に同期して開閉動作する。すなわち、映像供給周期Ｔ０に対応する期間の２つ分が、バリア開閉周期Ｔ１に対応する期間の１つ分と等しくなっている。そして、立体表示装置１は、動作周期Ｔごとにこの動作を繰り返す。ここで、映像供給周期Ｔ０は、例えば約１６．７[msec]（＝１／６０[Hz]）である。この場合、バリア開閉周期Ｔ１および動作周期Ｔは、例えば約３３．３[msec]（＝１／３０[Hz]）である。なお、映像供給周期Ｔ０およびバリア開閉周期Ｔ１はこれに限定されるものではない。例えば、映像供給周期Ｔ０は２０[msec]（＝１／５０[Hz]）であり、バリア開閉周期Ｔ１および動作周期Ｔは４０[msec]（＝１／２５[Hz]）であってもよいし、これに代えて他の値であってもよい。以下に、この詳細動作を説明する。
【手続補正３】
【補正対象書類名】明細書
【補正対象項目名】００５４
【補正方法】変更
【補正の内容】
【００５４】
まず、複合画像生成部４５は、フレーム画像Ｐ１〜Ｐ８に基づいて、複合処理により複合フレーム画像ＦＡ（映像信号ＳＡ）を生成する（図９（Ｂ））。
【手続補正４】
【補正対象書類名】明細書
【補正対象項目名】００５９
【補正方法】変更
【補正の内容】
【００５９】
まず、複合画像生成部４５は、フレーム画像Ｐ１〜Ｐ８に基づいて、複合処理により複合フレーム画像ＦＢ（映像信号ＳＢ）を生成する（図９（Ｂ））。
【手続補正５】
【補正対象書類名】明細書
【補正対象項目名】００６３
【補正方法】変更
【補正の内容】
【００６３】
まず、複合画像生成部４５は、新たに供給されたフレーム画像Ｑ１〜Ｑ８に基づいて、複合処理により複合フレーム画像ＦＣ（映像信号ＳＣ）を生成する（図９（Ｂ））。
【手続補正６】
【補正対象書類名】明細書
【補正対象項目名】００６７
【補正方法】変更
【補正の内容】
【００６７】
まず、複合画像生成部４５は、フレーム画像Ｑ１〜Ｑ８に基づいて、複合処理により複合フレーム画像ＦＤ（映像信号ＳＤ）を生成する（図９（Ｂ））。
【手続補正７】
【補正対象書類名】明細書
【補正対象項目名】００６８
【補正方法】変更
【補正の内容】
【００６８】
そして、タイミングｔ７〜ｔ８の期間において、表示部２０では、表示駆動部５０から供給される駆動信号に基づき、複合フレーム画像ＦＤの表示が行われる（図９（Ｃ））。液晶バリア部１０では、このタイミングｔ７〜ｔ８の期間において、開閉部１２Ａ〜１２Ｄが閉状態を維持する（図９（Ｄ）〜（Ｇ））。これにより、観察者は、表示部２０における複合フレーム画像ＦＣの表示から複合フレーム画像ＦＤの表示への過渡的な変化を見ることがないので、画質劣化を低減することができる。
【手続補正８】
【補正対象書類名】明細書
【補正対象項目名】０１０９
【補正方法】変更
【補正の内容】
【０１０９】
立体表示装置２には、映像供給周期Ｔ０ごとに、６視点分の視点映像（フレーム画像Ｐ１〜Ｐ６，Ｑ１〜Ｑ６，Ｒ１〜Ｒ６）が映像信号Ｓdispとして供給される。立体表示装置２では、複合画像生成部４５が、互いに異なる３組のフレーム画像Ｐ１〜Ｐ６，Ｑ１〜Ｑ６，Ｒ１〜Ｒ６に基づいて複合フレーム画像ＦＡ１，ＦＢ１，ＦＣ１，ＦＡ２，ＦＢ２，ＦＣ２を生成して、表示部２０がこれらの複合フレーム画像を時分割的に切り換えて表示する。そして、開閉部１２Ａ〜１２Ｃが、バリア開閉周期Ｔ１でその表示に同期して開閉動作する。すなわち、映像供給周期Ｔ０に対応する期間の３つ分が、バリア開閉周期Ｔ１に対応する期間の２つ分と等しくなっている。そして、立体表示装置２は、動作周期Ｔごとにこの動作を繰り返す。ここで、映像供給周期Ｔ０は、例えば約１６．７[msec]（＝１／６０[Hz]）である。この場合、バリア開閉周期Ｔ１は、例えば２５[msec]（＝１／４０[Hz]）であり、動作周期Ｔは、例えば、５０[msec]（＝１／２０[Hz]）である。以下に、この詳細動作を説明する。
【手続補正９】
【補正対象書類名】明細書
【補正対象項目名】０１１０
【補正方法】変更
【補正の内容】
【０１１０】
立体表示装置２は、タイミングｔ１〜ｔ３の期間において、複合フレーム画像ＦＡ１の表示を行う。まず、複合画像生成部４５は、フレーム画像Ｐ１〜Ｐ６に基づいて、複合フレーム画像ＦＡ１（映像信号ＳＡ）を生成する（図２３（Ｂ））。そして、表示部２０では、複合フレーム画像ＦＡ１の表示が２回続けて行われる（図２３（Ｃ））。液晶バリア部６０では、タイミングｔ２〜ｔ３の期間のうち、表示部２０の液晶が応答し終わった期間において、開閉部１２Ａが開状態になる（図２３（Ｄ））。これにより、観察者は複合フレーム画像ＦＡ１の表示を見ることができる。
【手続補正１０】
【補正対象書類名】明細書
【補正対象項目名】０１１１
【補正方法】変更
【補正の内容】
【０１１１】
次に、立体表示装置２は、タイミングｔ３〜ｔ５の期間において、複合フレーム画像ＦＢ１の表示を行う。まず、複合画像生成部４５は、フレーム画像Ｐ１〜Ｐ６に基づいて、複合フレーム画像ＦＢ１（映像信号ＳＢ）を生成する（図２３（Ｂ））。そして、表示部２０では、複合フレーム画像ＦＢ１の表示が２回続けて行われる（図２３（Ｃ））。液晶バリア部６０では、タイミングｔ４〜ｔ５の期間のうち、表示部２０の液晶が応答し終わった期間において、開閉部１２Ｂが開状態になる（図２３（Ｅ））。これにより、観察者は複合フレーム画像ＦＢ１の表示を見ることができる。
【手続補正１１】
【補正対象書類名】明細書
【補正対象項目名】０１１２
【補正方法】変更
【補正の内容】
【０１１２】
次に、立体表示装置２は、タイミングｔ５〜ｔ７の期間において、複合フレーム画像ＦＣ１の表示を行う。まず、複合画像生成部４５は、新たに供給されたフレーム画像Ｑ１〜Ｑ６に基づいて、複合フレーム画像ＦＣ１（映像信号ＳＣ）を生成する（図２３（Ｂ））。そして、表示部２０では、複合フレーム画像ＦＣ１の表示が２回続けて行われる（図２３（Ｃ））。液晶バリア部６０では、タイミングｔ６〜ｔ７の期間のうち、表示部２０の液晶が応答し終わった期間において、開閉部１２Ｃが開状態になる（図２３（Ｆ））。これにより、観察者は複合フレーム画像ＦＣ１の表示を見ることができる。
【手続補正１２】
【補正対象書類名】明細書
【補正対象項目名】０１１３
【補正方法】変更
【補正の内容】
【０１１３】
次に、立体表示装置２は、タイミングｔ７〜ｔ９の期間において、複合フレーム画像ＦＡ２の表示を行う。まず、複合画像生成部４５は、フレーム画像Ｑ１〜Ｑ６に基づいて、複合フレーム画像ＦＡ２（映像信号ＳＡ）を生成する（図２３（Ｂ））。そして、表示部２０では、複合フレーム画像ＦＡ２の表示が２回続けて行われる（図２３（Ｃ））。液晶バリア部６０では、タイミングｔ８〜ｔ９の期間のうち、表示部２０の液晶が応答し終わった期間において、開閉部１２Ａが開状態になる（図２３（Ｄ））。これにより、観察者は複合フレーム画像ＦＡ２の表示を見ることができる。
【手続補正１３】
【補正対象書類名】明細書
【補正対象項目名】０１１４
【補正方法】変更
【補正の内容】
【０１１４】
次に、立体表示装置２は、タイミングｔ９〜ｔ１１の期間において、複合フレーム画像ＦＢ２の表示を行う。まず、複合画像生成部４５は、新たに供給されたフレーム画像Ｒ１〜Ｒ６に基づいて、複合フレーム画像ＦＢ２（映像信号ＳＢ）を生成する（図２３（Ｂ））。そして、表示部２０では、複合フレーム画像ＦＢ２の表示が２回続けて行われる（図２３（Ｃ））。液晶バリア部６０では、タイミングｔ１０〜ｔ１１の期間のうち、表示部２０の液晶が応答し終わった期間において、開閉部１２Ｂが開状態になる（図２３（Ｅ））。これにより、観察者は複合フレーム画像ＦＢ２の表示を見ることができる。
【手続補正１４】
【補正対象書類名】明細書
【補正対象項目名】０１１５
【補正方法】変更
【補正の内容】
【０１１５】
次に、立体表示装置２は、タイミングｔ１１〜ｔ１３の期間において、複合フレーム画像ＦＣ２の表示を行う。まず、複合画像生成部４５は、フレーム画像Ｒ１〜Ｒ６に基づいて、複合フレーム画像ＦＣ２（映像信号ＳＣ）を生成する（図２３（Ｂ））。そして、表示部２０では、複合フレーム画像ＦＣ２の表示が２回続けて行われる（図２３（Ｃ））。液晶バリア部６０では、タイミングｔ１２〜ｔ１３の期間のうち、表示部２０の液晶が応答し終わった期間において、開閉部１２Ｃが開状態になる（図２３（Ｆ））。これにより、観察者は複合フレーム画像ＦＣ２の表示を見ることができる。
【手続補正１５】
【補正対象書類名】明細書
【補正対象項目名】０１１６
【補正方法】変更
【補正の内容】
【０１１６】
以上の動作を繰り返すことにより、立体表示装置２は、映像信号Ｓdispとして供給される、互いに異なるタイミングに係るフレーム画像Ｐ１〜Ｐ６，Ｑ１〜Ｑ６，Ｒ１〜Ｒ６に基づいて複合フレーム画像ＦＡ〜ＦＣを生成し、複合フレーム画像ＦＡ１，ＦＡ２の表示（開閉部１２Ａにおける表示）と、複合フレーム画像ＦＢ１，ＦＢ２の表示（開閉部１２Ｂにおける表示）と、複合フレーム画像ＦＣ１，ＦＣ２の表示（開閉部１２Ｃにおける表示）とを時分割的に切り換えて行う。
【手続補正１６】
【補正対象書類名】明細書
【補正対象項目名】０１２７
【補正方法】変更
【補正の内容】
【０１２７】
複合フレーム画像ＦＢ２の生成を行う際には、複合画像生成部４５は、まず、ダミーの画素情報Ｒ５（−２，ｎ），Ｒ６（−２，ｎ）を配置した後、フレーム画像Ｒ１〜Ｒ６の第１列の画素情報（Ｒ１（１，ｎ），Ｒ２（１，ｎ），…，Ｒ６（１，ｎ））をそれぞれ選択し、図２６（Ａ）に示したように、複合フレーム画像ＦＢ２の左から右に向かって配置する。次に、複合画像生成部４５は、フレーム画像Ｒ１〜Ｒ６の第４列の画素情報（Ｒ１（４，ｎ），Ｒ２（４，ｎ），…，Ｒ６（４，ｎ））をそれぞれ選択し、続いて配置する。複合画像生成部４５は、引き続きこのような処理を行うことにより、複合フレーム画像ＦＢ２を生成する。ここで、複合フレーム画像ＦＢ２における各画素情報は、図２２（Ｂ）における各画素情報と対応している。具体的には、例えば、複合フレーム画像ＦＢ２における画素情報Ｒ１（１，ｎ），Ｒ１（４，ｎ），…は、図２２（Ｂ）における画素情報ｄ１に対応し、複合フレーム画像ＦＢ２における画素情報Ｒ２（１，ｎ），Ｒ２（４，ｎ），…は、図２２（Ｂ）における画素情報ｄ２に対応している。
【手続補正１７】
【補正対象書類名】明細書
【補正対象項目名】０１３６
【補正方法】変更
【補正の内容】
【０１３６】
図２８は、２つのグループの開閉部１２により液晶バリア部を構成した場合における、表示動作のタイミング図を表すものである。この立体表示装置には、映像供給周期Ｔ０ごとに、８視点分の視点映像（フレーム画像Ｐ１〜Ｐ８，Ｑ１〜Ｑ８）が映像信号Ｓdispとして供給される。そして、複合画像生成部４５は、フレーム画像Ｐ１〜Ｐ８に基づいて複合フレーム画像ＦＡを生成するとともに、フレーム画像Ｐ１〜Ｐ８とは異なるフレーム画像Ｑ１〜Ｑ８に基づいて複合フレーム画像ＦＢを生成し、表示部２０がこれらの複合フレーム画像を時分割的に切り換えて表示する。そして、開閉部１２Ａ，１２Ｂが、バリア開閉周期Ｔ１でその表示に同期して開閉動作する。すなわち、映像供給周期Ｔ０に対応する期間の２つ分が、バリア開閉周期Ｔ１に対応する期間と等しくなっている。